(57)【要約】ネットワークに接続された複数の端末装置及び録画サーバを含むネットワーク録画システムであって、各端末装置は、番組の録画を指示する録画指示情報及び録画済み番組の録画データの送出を指示する番組要求情報を、それぞれに要求元ＩＤを付して録画サーバへ送信する送信部を備え、録画サーバは、特定の要求元ＩＤ同士を１のグループとして管理するＩＤ管理部と、端末装置から送信された録画指示情報に基いて番組を録画する録画部と、録画された番組の録画データと前記録画指示情報に付された要求元ＩＤとを対応付けて管理する録画データ管理部と、端末装置から送信された番組要求情報に付されている要求元ＩＤが、ＩＤ管理部に管理されているグループに属しており、且つ、番組要求情報が送出を指示する録画データが、録画データ管理部に当該グループ内の要求元ＩＤと対応付けて管理されている場合に、その録画データを番組要求情報の送信元である端末装置へ送出する共有録画データ管理部とを備える。【選択図】  図１
2007527140.tif 000002
【特許請求の範囲】
【請求項１】
ネットワークに接続された複数の端末装置及び録画サーバから構成されるネットワーク録画システムであって、
前記各端末装置は、
番組の録画を指示する録画指示情報及び録画済み番組の録画データの送出を指示する番組要求情報を、それぞれに要求元ＩＤを付して録画サーバへ送信する送信手段を備え、
前記録画サーバは、
特定の要求元ＩＤ同士を１のグループとして管理する管理手段と、
端末装置から送信された録画指示情報に基いて番組を録画する録画手段と、
録画された番組の録画データと前記録画指示情報に付された要求元ＩＤとを対応付けて管理する録画データ管理手段と、
端末装置から送信された番組要求情報に付されている要求元ＩＤが、前記ＩＤ管理手段に管理されているグループに属しており、且つ、番組要求情報が送出を指示する録画データが、前記録画データ管理手段によって当該グループ内の要求元ＩＤと対応付けて管理されている場合に、その録画データを番組要求情報の送信元である端末装置へ送出する共有録画データ管理手段とを備える
ことを特徴とするネットワーク録画システム。
【請求項２】
前記共有録画データ管理手段は、更に、前記録画データ管理手段により管理されている録画データのうち、前記ＩＤ管理手段に管理されているグループに属する各要求元ＩＤと対応付けられているものを一覧にした共有録画データリストを生成して、各端末装置へ送出し、
前記各端末装置は、更に、
前記録画サーバから送出された共有録画データリストに基づいて前記番組要求情報を生成する生成手段を備える
ことを特徴とする請求項１に記載のネットワーク録画システム。
【請求項３】
前記各端末装置は、更に、
前記録画サーバから送出された共有録画データリストをユーザに提示する提示手段と、
提示された共有録画データリストの中から所望の録画データの指定をユーザから受け付ける受付手段とを備え、
前記生成手段は、更に、ユーザから受け付けた指定に係る録画データの送出を指示する番組要求情報を生成する
ことを特徴とする請求項２に記載のネットワーク録画システム。
【請求項４】
前記受付手段は、更に、ユーザからグループの指定を受け付け、
前記送信手段は、更に、受け付けた指定に係るグループを示すグループ情報を、要求元ＩＤを付して前記録画サーバへ送信し、
前記ＩＤ管理手段は、前記端末装置から送信されたグループ情報と要求元ＩＤとを対応付けて管理する
ことを特徴とする請求項３に記載のネットワーク録画システム。
【請求項５】
前記受付手段は、更に、ユーザから番組の録画指示を受け付けると共に、その番組を録画指示した旨をそのユーザが属するグループ内の他のユーザに通知するか否かに係る通知設定を受け付け、
前記生成手段は、更に、受け付けた録画指示に基づいて録画指示情報を生成し、
前記送信手段は、更に、生成された録画指示情報と共に前記受付手段により受け付けた通知設定を、要求元ＩＤを付して前記録画サーバへ送信し、
前記共有録画データ管理手段は、更に、端末装置から送信された通知設定に係る情報が肯定的な設定になされている場合に限り、当該情報に付された要求元ＩＤが属するグループ内の他の要求元ＩＤを送信した端末装置へ、前記録画指示がなされた旨を通知する
ことを特徴とする請求項３に記載のネットワーク録画システム。
【請求項６】
前記受付手段は、更に、ユーザから録画データの削除指示を受け付け、
前記生成手段は、更に、受け付けた削除指示に基づいて録画データ削除指示情報を生成し、
前記送信手段は、更に、生成された録画データ削除指示情報を、要求元ＩＤを付して前記録画サーバへ送信し、
前記共有録画データ管理手段は、更に、端末装置から送信された録画データ削除指示情報に付されている要求元ＩＤが、前記ＩＤ管理手段に管理されているグループに属しており、且つ、録画データ削除指示情報が削除指示する録画データが、前記録画データ管理手段によって当該グループ内の要求元ＩＤと対応付けて管理されている場合に、その録画データを録画サーバから削除する
ことを特徴とする請求項３に記載のネットワーク録画システム。
【請求項７】
前記共有録画データ管理手段は、更に、共有録画データリスト内のいずれかの録画データを、グループ内の要求元ＩＤが示すユーザ又は端末装置全てに送出した場合、当該録画データを録画サーバから削除する
ことを特徴とする請求項２に記載のネットワーク録画システム。
【請求項８】
前記共有録画データ管理手段は、前記録画データ管理手段にて要求元ＩＤと録画データとが新たに対応付けられる度に、共有録画データリストの更新を行い、更新された共有録画データリストを各端末装置へ送出する
ことを特徴とする請求項２に記載のネットワーク録画システム。
【請求項９】
それぞれ要求元ＩＤが付されている、番組の録画を指示する録画指示情報及び録画済み番組の録画データの送出を指示する番組要求情報を外部装置から受信する受信手段と、
特定の要求元ＩＤ同士を１のグループとして管理するＩＤ管理手段と、
前記受信手段により受信した録画指示情報に基いて番組を録画する録画手段と、
録画された番組の録画データと前記録画指示情報に付された要求元ＩＤとを対応付けて管理する録画データ管理手段と、
前記受信手段により受信した番組要求情報に付されている要求元ＩＤが、前記ＩＤ管理手段に管理されているグループに属しており、且つ、番組要求情報が送出を指示する録画データが、前記録画データ管理手段によって当該グループ内の要求元ＩＤと対応付けて管理されている場合に、その録画データを番組要求情報の送信元である外部装置へ送出する共有録画データ管理手段とを備える
ことを特徴とする録画サーバ。
【請求項１０】
それぞれ要求元ＩＤが付されている、番組の録画を指示する録画指示情報及び録画済み番組の録画データの送出を指示する番組要求情報を外部装置から受信する受信手段、受信した録画指示情報に基づいて番組を録画する録画手段を備えた録画サーバに用いられる録画データ送出方法であって、
特定の要求元ＩＤ同士を１のグループとして管理するＩＤ管理ステップと、
前記受信手段により受信した録画指示情報に基いて、前記録画手段により録画された番組の録画データと当該録画指示情報に付された要求元ＩＤとを対応付けて管理する録画データ管理ステップと、
外部装置から受信した番組要求情報に付されている要求元ＩＤが、前記ＩＤ管理ステップにおいて管理されているグループに属し、且つ、番組要求情報が送出を指示する録画データが、前記録画データ管理ステップにおいて当該グループ内の要求元ＩＤと対応付けて管理されている場合に、その録画データを番組要求情報の送信元である外部装置へ送出する送出ステップとを含む
ことを特徴とする録画データ送出方法。
【請求項１１】
それぞれ要求元ＩＤが付されている、番組の録画を指示する録画指示情報及び録画済み番組の録画データの送出を指示する番組要求情報を外部装置から受信する受信手段、受信した録画指示情報に基づいて番組を録画する録画手段を備えたコンピュータである録画サーバに、録画データ送出処理を行わせるプログラムであって、当該録画データ送出処理は、
特定の要求元ＩＤ同士を１のグループとして管理するＩＤ管理ステップと、
前記受信手段により受信した録画指示情報に基いて、前記録画手段により録画された番組の録画データと当該録画指示情報に付された要求元ＩＤとを対応付けて管理する録画データ管理ステップと、
外部装置から受信した番組要求情報に付されている要求元ＩＤが、前記ＩＤ管理ステップにおいて管理されているグループに属し、且つ、番組要求情報が送出を指示する録画データが、前記録画データ管理ステップにおいて当該グループ内の要求元ＩＤと対応付けて管理されている場合に、その録画データを番組要求情報の送信元である外部装置へ送出する制御を行う送信制御ステップとを含む
ことを特徴とするプログラム。
【請求項１２】
それぞれ要求元ＩＤが付されている、番組の録画を指示する録画指示情報及び録画済み番組の録画データの送出を指示する番組要求情報を外部装置から受信する受信手段、受信した録画指示情報に基づいて番組を録画する録画手段を備えたコンピュータである録画サーバに、録画データ送出処理を行わせるプログラムを記録した記録媒体であって、当該録画データ送出処理は、
特定の要求元ＩＤ同士を１のグループとして管理するＩＤ管理ステップと、
前記受信手段により受信した録画指示情報に基いて、前記録画手段により録画された番組の録画データと当該録画指示情報に付された要求元ＩＤとを対応付けて管理する録画データ管理ステップと、
外部装置から受信した番組要求情報に付されている要求元ＩＤが、前記ＩＤ管理ステップにおいて管理されているグループに属し、且つ、番組要求情報が送出を指示する録画データが、前記録画データ管理ステップにおいて当該グループ内の要求元ＩＤと対応付けて管理されている場合に、その録画データを番組要求情報の送信元である外部装置へ送出する制御を行う送信制御ステップとを含む
ことを特徴とする記録媒体。
【請求項１３】
それぞれ要求元ＩＤが付されている、番組の録画を指示する録画指示情報及び録画済み番組の録画データの送出を指示する番組要求情報を外部装置から受信する受信手段、受信した録画指示情報に基づいて番組を録画する録画手段を備えた録画サーバの集積回路であって、
特定の要求元ＩＤ同士を１のグループとして管理するＩＤ管理手段と、
前記受信手段により受信した録画指示情報に基いて、前記録画手段により録画された番組の録画データと当該録画指示情報に付された要求元ＩＤとを対応付けて管理する録画データ管理手段と、
外部装置から受信した番組要求情報に付されている要求元ＩＤが、前記ＩＤ管理手段により管理されているグループに属し、且つ、番組要求情報が送出を指示する録画データが、前記録画データ管理手段によって当該グループ内の要求元ＩＤと対応付けて管理されている場合に、その録画データを番組要求情報の送信元である外部装置へ送出する制御を行う共有録画データ管理手段とを備える
ことを特徴とする集積回路。
【発明の詳細な説明】
【技術分野】
【０００１】
本発明は、ネットワークで接続された複数の端末装置と録画サーバとから成るネットワークシステムに関し、特に、録画サーバに記憶されている録画データを特定の関係下にあるユーザ間で共有するための技術に関する。
【背景技術】
【０００２】
昨今、インターネットやＬＡＮ（Ｌｏｃａｌ  Ａｒｅａ  Ｎｅｔｗｏｒｋ）等のネットワークを利用した動画配信サービスが様々な形態で提案されている。その中の１つに番組録画代行サービスがある。
ここでいう番組録画代行サービスとは、ユーザが所有する端末装置（例えば、携帯電話機）から番組の録画指示に係る情報（以下、録画指示情報という。）をネットワークを介して録画センターが受け付け、録画センターに備わる録画サーバが、当該端末装置の代わりに録画指示された番組の録画を行うサービスのことをいう。
【０００３】
従来の番組録画代行サービスでは、著作権保護及びプライバシー保護の観点から、録画を指示したユーザのみが、その録画指示に基いて録画された録画データを録画サーバから取得することができるようにしているのが一般的である。
【発明の開示】
【発明が解決しようとする課題】
【０００４】
しかし、家族同士や友人同士等、特定の関係下にあるユーザ間で、それぞれが録画指示した番組を互いに共有できるようになっていることを望む声もある。
そこで、本発明は、特定関係下にある各ユーザ間で、録画データを共有することができるネットワーク録画システム、及び当該システムに関する諸技術を提供することを目的とする。
【課題を解決するための手段】
【０００５】
上記目的を達成するために、本発明に係るネットワーク録画システムは、ネットワークに接続された複数の端末装置及び録画サーバから構成されるネットワーク録画システムであって、前記各端末装置は、番組の録画を指示する録画指示情報及び録画済み番組の録画データの送出を指示する番組要求情報を、それぞれに要求元ＩＤを付して録画サーバへ送信する送信手段を備え、前記録画サーバは、特定の要求元ＩＤ同士を１のグループとして管理する管理手段と、端末装置から送信された録画指示情報に基いて番組を録画する録画手段と、録画された番組の録画データと前記録画指示情報に付された要求元ＩＤとを対応付けて管理する録画データ管理手段と、端末装置から送信された番組要求情報に付されている要求元ＩＤが、前記ＩＤ管理手段に管理されているグループに属しており、且つ、番組要求情報が送出を指示する録画データが、前記録画データ管理手段によって当該グループ内の要求元ＩＤと対応付けて管理されている場合に、その録画データを番組要求情報の送信元である端末装置へ送出する共有録画データ管理手段とを備えることを特徴とする。
【０００６】
また、本発明に係る録画サーバは、それぞれ要求元ＩＤが付されている、番組の録画を指示する録画指示情報及び録画済み番組の録画データの送出を指示する番組要求情報を外部装置から受信する受信手段と、特定の要求元ＩＤ同士を１のグループとして管理するＩＤ管理手段と、前記受信手段により受信した録画指示情報に基いて番組を録画する録画手段と、録画された番組の録画データと前記録画指示情報に付された要求元ＩＤとを対応付けて管理する録画データ管理手段と、前記受信手段により受信した番組要求情報に付されている要求元ＩＤが、前記ＩＤ管理手段に管理されているグループに属しており、且つ、番組要求情報が送出を指示する録画データが、前記録画データ管理手段によって当該グループ内の要求元ＩＤと対応付けて管理されている場合に、その録画データを番組要求情報の送信元である外部装置へ送出する共有録画データ管理手段とを備えることを特徴とする。
【０００７】
また、本発明に係る録画データ送出方法は、それぞれ要求元ＩＤが付されている、番組の録画を指示する録画指示情報及び録画済み番組の録画データの送出を指示する番組要求情報を外部装置から受信する受信手段、受信した録画指示情報に基づいて番組を録画する録画手段を備えた録画サーバに用いられる録画データ送出方法であって、特定の要求元ＩＤ同士を１のグループとして管理するＩＤ管理ステップと、前記受信手段により受信した録画指示情報に基いて、前記録画手段により録画された番組の録画データと当該録画指示情報に付された要求元ＩＤとを対応付けて管理する録画データ管理ステップと、外部装置から受信した番組要求情報に付されている要求元ＩＤが、前記ＩＤ管理ステップにおいて管理されているグループに属し、且つ、番組要求情報が送出を指示する録画データが、前記録画データ管理ステップにおいて当該グループ内の要求元ＩＤと対応付けて管理されている場合に、その録画データを番組要求情報の送信元である外部装置へ送出する送出ステップとを含むことを特徴とする。
【０００８】
また、本発明に係るプログラムは、それぞれ要求元ＩＤが付されている、番組の録画を指示する録画指示情報及び録画済み番組の録画データの送出を指示する番組要求情報を外部装置から受信する受信手段、受信した録画指示情報に基づいて番組を録画する録画手段を備えたコンピュータである録画サーバに、録画データ送出処理を行わせるプログラムであって、当該録画データ送出処理は、特定の要求元ＩＤ同士を１のグループとして管理するＩＤ管理ステップと、前記受信手段により受信した録画指示情報に基いて、前記録画手段により録画された番組の録画データと当該録画指示情報に付された要求元ＩＤとを対応付けて管理する録画データ管理ステップと、外部装置から受信した番組要求情報に付されている要求元ＩＤが、前記ＩＤ管理ステップにおいて管理されているグループに属し、且つ、番組要求情報が送出を指示する録画データが、前記録画データ管理ステップにおいて当該グループ内の要求元ＩＤと対応付けて管理されている場合に、その録画データを番組要求情報の送信元である外部装置へ送出する制御を行う送信制御ステップとを含むことを特徴とする。
【０００９】
また、本発明に係る記録媒体は、それぞれ要求元ＩＤが付されている、番組の録画を指示する録画指示情報及び録画済み番組の録画データの送出を指示する番組要求情報を外部装置から受信する受信手段、受信した録画指示情報に基づいて番組を録画する録画手段を備えたコンピュータである録画サーバに、録画データ送出処理を行わせるプログラムを記録した記録媒体であって、当該録画データ送出処理は、特定の要求元ＩＤ同士を１のグループとして管理するＩＤ管理ステップと、前記受信手段により受信した録画指示情報に基いて、前記録画手段により録画された番組の録画データと当該録画指示情報に付された要求元ＩＤとを対応付けて管理する録画データ管理ステップと、外部装置から受信した番組要求情報に付されている要求元ＩＤが、前記ＩＤ管理ステップにおいて管理されているグループに属し、且つ、番組要求情報が送出を指示する録画データが、前記録画データ管理ステップにおいて当該グループ内の要求元ＩＤと対応付けて管理されている場合に、その録画データを番組要求情報の送信元である外部装置へ送出する制御を行う送信制御ステップとを含むことを特徴とする。
【００１０】
また、本発明に係る集積回路は、それぞれ要求元ＩＤが付されている、番組の録画を指示する録画指示情報及び録画済み番組の録画データの送出を指示する番組要求情報を外部装置から受信する受信手段、受信した録画指示情報に基づいて番組を録画する録画手段を備えた録画サーバの集積回路であって、特定の要求元ＩＤ同士を１のグループとして管理するＩＤ管理手段と、前記受信手段により受信した録画指示情報に基いて、前記録画手段により録画された番組の録画データと当該録画指示情報に付された要求元ＩＤとを対応付けて管理する録画データ管理手段と、外部装置から受信した番組要求情報に付されている要求元ＩＤが、前記ＩＤ管理手段により管理されているグループに属し、且つ、番組要求情報が送出を指示する録画データが、前記録画データ管理手段によって当該グループ内の要求元ＩＤと対応付けて管理されている場合に、その録画データを番組要求情報の送信元である外部装置へ送出する制御を行う共有録画データ管理手段とを備えることを特徴とする。
【００１１】
ここで要求元ＩＤとは、ユーザ又はユーザが所有する端末装置を一意に特定する情報のことをいう。
これらの構成により、録画サーバにおいてグループ管理されている要求元ＩＤが示すユーザ又はその端末装置は、同一グループ内に属する他のユーザの録画指示に基いて録画された番組の録画データを録画サーバから取得することができる。すなわち、同じグループに属している各ユーザは、そのグループ内の各ユーザの録画指示に基づいて録画された録画データを互いに共有することができる。
【００１２】
ここで、前記共有録画データ管理手段は、更に、前記録画データ管理手段により管理されている録画データのうち、前記ＩＤ管理手段に管理されているグループに属する各要求元ＩＤと対応付けられているものを一覧にした共有録画データリストを生成して、各端末装置へ送出し、前記各端末装置は、更に、前記録画サーバから送出された共有録画データリストに基づいて前記番組要求情報を生成する生成手段を備えるとしてもよい。
【００１３】
この構成により、各端末装置は、共有録画データリストにある録画データを録画サーバから取得することができる。
また、前記各端末装置は、更に、前記録画サーバから送出された共有録画データリストをユーザに提示する提示手段と、提示された共有録画データリストの中から所望の録画データの指定をユーザから受け付ける受付手段とを備え、前記生成手段は、更に、ユーザから受け付けた指定に係る録画データの送出を指示する番組要求情報を生成するとしてもよい。
【００１４】
この構成により、ユーザは端末装置より提示された共有録画データリストの中から所望の録画データを選ぶことができる。
また、前記受付手段は、更に、ユーザからグループの指定を受け付け、前記送信手段は、更に、受け付けた指定に係るグループを示すグループ情報を、要求元ＩＤを付して前記録画サーバへ送信し、前記ＩＤ管理手段は、前記端末装置から送信されたグループ情報と要求元ＩＤとを対応付けて管理するとしてもよい。
【００１５】
この構成により、ユーザは端末装置を介して自分が所属したいグループを録画サーバに登録させることができる。
また、前記受付手段は、更に、ユーザから番組の録画指示を受け付けると共に、その番組を録画指示した旨をそのユーザが属するグループ内の他のユーザに通知するか否かに係る通知設定を受け付け、前記生成手段は、更に、受け付けた録画指示に基づいて録画指示情報を生成し、前記送信手段は、更に、生成された録画指示情報と共に前記受付手段により受け付けた通知設定を、要求元ＩＤを付して前記録画サーバへ送信し、前記共有録画データ管理手段は、更に、端末装置から送信された通知設定に係る情報が肯定的な設定になされている場合に限り、当該情報に付された要求元ＩＤが属するグループ内の他の要求元ＩＤを送信した端末装置へ、前記録画指示がなされた旨を通知するとしてもよい。
【００１６】
この構成により、ユーザは番組を録画指示したことを同じグループに所属する他のユーザに通知することができ、通知を受けた他のユーザは、同じ番組を録画指示する必要がなくなるので、利便性が良くなる。
また、前記受付手段は、更に、ユーザから録画データの削除指示を受け付け、前記生成手段は、更に、受け付けた削除指示に基づいて録画データ削除指示情報を生成し、前記送信手段は、更に、生成された録画データ削除指示情報を、要求元ＩＤを付して前記録画サーバへ送信し、前記共有録画データ管理手段は、更に、端末装置から送信された録画データ削除指示情報に付されている要求元ＩＤが、前記ＩＤ管理手段に管理されているグループに属しており、且つ、録画データ削除指示情報が削除指示する録画データが、前記録画データ管理手段によって当該グループ内の要求元ＩＤと対応付けて管理されている場合に、その録画データを録画サーバから削除するとしてもよい。
【００１７】
この構成により、同じグループ内のユーザであれば、共有されている録画データを削除することができる。
また、前記共有録画データ管理手段は、更に、共有録画データリスト内のいずれかの録画データを、グループ内の要求元ＩＤが示すユーザ又は端末装置全てに送出した場合、当該録画データを録画サーバから削除するとしてもよい。
【００１８】
この構成により、グループ内の共有に係るある録画データが、グループ内の全ユーザ又は各ユーザが所有する端末装置に送出済みであれば、録画サーバは自動的に当該録画データを削除するので、録り貯められていく録画データの整理に便利である。
また、前記共有録画データ管理手段は、前記録画データ管理手段にて要求元ＩＤと録画データとが新たに対応付けられる度に、共有録画データリストの更新を行い、更新された共有録画データリストを各端末装置へ送出するとしてもよい。
【００１９】
この構成により、共有録画データリストが更新される度に録画サーバは共有録画データリストを端末装置へ送信するので、端末装置は常に更新された共有録画データリストを取得することができる。
【発明を実施するための最良の形態】
【００２０】
以下、本発明に係るネットワーク録画システムの一実施形態について、図面を用いて説明する。
＜１  ネットワーク録画システム１の構成＞
図１は、ネットワーク録画システム１の構成と、録画サーバ１０の機能ブロックを示す図である。
【００２１】
ネットワーク録画システム１は、録画サーバ１０、端末装置２、端末装置３、端末装置４、端末装置５、端末装置６、及びネットワーク７で構成されている。
なお、端末装置は同図に示すように５台に限られず、数千から数万台存在してもよく、また、録画サーバも１台に限られず、端末装置同様に数千から数万台存在していてもよい。また、本実施形態において、端末装置はネットワーク録画システム
ネットワーク７はＬＡＮ又はインターネットである。
【００２２】
録画サーバ１０、端末装置２、端末装置３、端末装置４、端末装置５及び端末装置６はいずれもＣＰＵ、入出力装置（受信チューナー、通信モデム、ＵＩ（Ｕｓｅｒ  Ｉｎｔｅｒｆａｃｅ）回路等）、メモリ及びハードディスク等のハードウェアで構成されたコンピュータである。
＜１．１  録画サーバの構成＞
次に、録画サーバ１０の各機能部について説明する。
【００２３】
録画サーバ１０は、通信部１１、グループ情報取得部１２、ＩＤ管理部１３、録画指示情報取得部１４、録画データ管理部１５、録画処理部１６、放送受信部１７、番組表情報記憶部１８、録画データ記憶部１９、送出部２０、共有録画データ管理部２１及び番組要求情報取得部２２を備える。
録画サーバ１０の各機能は、録画サーバ１０のメモリ又はハードディスクに格納されている録画サーバ用制御プログラムをＣＰＵが実行することにより実現される。
【００２４】
なお、図１に示すようにＩＤ管理部１３、録画データ管理部１５、共有録画データ管理部２１は、集積回路で構成されている。
通信部１１は、ネットワーク７に接続されている他の機器と通信を行う機能を有する。ＬＡＮカードやモデムといったハードウェアで構成されている。
グループ登録情報取得部１２は、各端末装置から送信されたグループ登録情報を取得する機能を有する。取得されたグループ登録情報は、ＩＤ管理部１３に伝送される。グループ登録情報には、グループＩＤ、グループ名（以下、グループＩＤ及びグループ名をグループ情報と呼ぶ）、グループ登録情報を送信した端末装置の固有識別情報である端末ＩＤ、グループへの登録又は現在所属しているグループからの脱退を指示する情報等が含まれる。
【００２５】
ＩＤ管理部１３は、グループ毎にそれぞれのグループに属する各端末装置の端末ＩＤを管理する機能を有している。また、ＩＤ管理部１３は、グループ登録情報取得部１２からグループ登録情報が伝送されると、その内容に応じて、当該グループ登録情報に含まれる端末ＩＤを所望のグループに登録、又は現在所属しているグループからの脱退を行う。
録画指示情報取得部１４は、各端末装置から送信された録画指示情報及び端末ＩＤを取得する機能を有する。録画指示情報にはユーザが録画を指示した番組の番組ＩＤが含まれている。取得された録画指示情報及び端末ＩＤは、録画データ管理部１５に伝送される。
【００２６】
録画データ管理部１５は、録画指示情報取得部１４から伝送された録画指示情報が示す録画対象の番組の番組ＩＤと、当該録画指示情報を送信した端末装置の端末ＩＤとを対応付けて管理する機能を有する。番組ＩＤは録画処理部１６に伝送される。
放送受信部１７は、デジタル放送を受信して放送波を復調する機能を有する。ここでいうデジタル放送とは、ＩＳＯ／ＩＥＣ１３８１８で規定されているＭＰＥＧ２（Ｍｏｖｉｎｇ  Ｐｉｃｔｕｒｅ  Ｅｘｐｅｒｔｓ  Ｇｒｏｕｐ  ２）−ＴＳ（Ｔｒａｎｓｐｏｒｔ  Ｓｔｒｅａｍ）方式による放送のことをいう。
【００２７】
ＴＳを構成するＴＳパケットには、ペイロードの中身を識別する識別情報がヘッダ部に含まれており、放送受信部１７は、この識別情報を用いて各種データを分離抽出する。抽出される各種データは、映像音声等で構成される番組データ、番組表情報等であり、番組データは録画処理部２３に伝送され、番組表情報は番組表情報記憶部１８に伝送される。
録画処理部１６は、録画データ管理部１５から伝送された番組ＩＤが含まれる番組データを録画処理する。録画処理は、単に、放送されたデータ形式のまま記録するだけでなく、ユーザの要望に応じたフォーマット形式に変換する処理も含まれる。例えば、ＭＰＥＧ２形式の番組データをＭＰＥＧ４形式に変換することが挙げられる。録画された番組データ、すなわち録画データは、録画データ記憶部１９に記憶される。
【００２８】
録画データ記憶部１９は、録画処理部１６から伝送された録画データを記憶する記憶領域である。
番組表情報記憶部１８は、放送受信部１７から伝送された番組表情報を記憶する記憶領域である。
番組表情報はＰＳＩ（番組特定情報：Ｐｒｏｇｒａｍ  Ｓｐｅｃｉｆｉｃ  Ｉｎｆｏｒｍａｔｉｏｎ）及びＳＩ（番組配列情報：Ｓｅｒｖｉｃｅ  Ｉｎｆｏｒｍａｔｉｏｎ）と呼ばれる複数のテーブル情報で構成され、それぞれＭＰＥＧ２システム規格で規定されている。
【００２９】
番組要求情報取得部２２は、各端末装置から送信された番組要求情報及び端末ＩＤを取得する機能を有する。番組要求情報にはユーザが指定した録画データを示す番組ＩＤが含まれている。取得された番組要求情報及び端末ＩＤは、共有録画データ管理部２１に伝送される。
共有録画データ管理部２１は、録画データ管理部１５で各端末ＩＤと対応付けて管理されている番組ＩＤのうち、録画済み番組の番組ＩＤのみを抽出し、当該番組ＩＤと対応付けられている端末ＩＤが属するグループ毎にその抽出した番組ＩＤをまとめて、各グループ内の端末装置が共有できる録画データのリスト（以下、共有録画データリストという。）を作成する機能と、番組要求情報取得部２２から伝送された番組要求情報に含まれる番組ＩＤが示す録画データを、当該番組要求情報を送信した端末装置へ送出する指示を送出部２０に対して行う機能とを有する。
【００３０】
作成された共有録画データリストは、送出部２０に伝送される。
送出部２０は、ＨＴＴＰ（ＨｙｐｅｒＴｅｘｔ  Ｔｒａｎｓｆｅｒ  Ｐｒｏｔｏｃｏｌ）又はＦＴＰ（Ｆｉｌｅ  Ｔｒａｎｓｆｅｒ  Ｐｒｏｔｏｃｏｌ）等のプロトコルを利用して各種データを送出する機能を有する。
送出するデータには、録画データ記憶部１９に記憶されている録画データ、番組表情報記憶部１８に記憶されている番組表情報、共有録画データ管理部２１において生成された共有録画データリスト等があり、録画データは、共有録画データ管理部２１からの送出指示に基いて該当の録画データを該当の端末装置へ送出する。
【００３１】
＜１．２  端末装置の構成＞
次に、各端末装置が備える機能部について説明する。
図２は、ネットワーク録画システム１の構成と、端末装置３の機能ブロックを示す図である。
端末装置３は、操作部３１、グループ登録部３２、通信部３３、番組表情報取得部３４、指示情報生成部３５、共有録画データリスト取得部３６、ＧＵＩ部３７、録画データ取得部３８、録画データ記憶部３９、再生部４０、映像音声出力部４１を備える。端末装２、端末装置４、端末装置５及び端末装置６も同様の機能部を備えており、説明は省略する。
【００３２】
端末装置３の各機能部は、端末装置３のハードウェアであるメモリ又はハードディスクに格納されている端末装置用制御プログラムをＣＰＵが実行することにより実現される。
ＧＵＩ部３７は、特定の性質が付加された文字や絵等を表示したアイコンボタン等の画像をモニタ画面上に配置したＧＵＩ（Ｇｒａｐｈｉｃａｌ  Ｕｓｅｒ  Ｉｎｔｅｒｆａｃｅ）画面のデータを生成する機能を有する。
【００３３】
一般的に、パーソナルコンピュータや各種ＡＶ機器等では、ＧＵＩを媒介としてユーザ操作の受け付けやユーザへの情報の提示等が行われており、本端末装置の場合も同様である。
ＧＵＩ画面には、番組表情報取得部３４から伝送される番組表情報に基いて生成される録画指示受付画面や、共有録画データリスト取得部３６から伝送される共有録画データリストに基いて生成される録画データ取得画面、グループ登録受付画面等がある。
【００３４】
操作部３１は、ユーザから各種指示をユーザのボタン操作等により受け付ける機能を有する。例えば、ＧＵＩ部３７によって生成されたＧＵＩ画面を通じて、ユーザのポインティングデバイスの操作により各種指示を受け付ける。
操作部３１は、ユーザから受け付けた各種指示のうち、録画指示及び番組要求指示を指示情報生成部３５に伝送し、グループ登録指示をグループ登録部３２に伝送し、録画データ記憶部３９に蓄積されている録画データの再生指示を再生部４０に伝送する。
【００３５】
グループ登録部３２は、ユーザから受け付けたグループ登録指示に基いて、グループ登録情報を生成する機能を有する。グループ登録情報の詳細については、後述する。
指示情報生成部３５は、ユーザから受け付けた録画指示及び番組要求指示に基いて録画サーバ１０へ送信する録画指示情報及び番組要求情報を生成する機能を有する。録画指示情報及び番組要求情報の詳細については後述する。
【００３６】
生成された録画指示情報及び番組要求情報は、通信部３３に伝送される。
通信部３３は、ネットワーク７に接続されている他の機器と通信を行う機能を有し、ＬＡＮカードやモデムといったハードウェアで構成されている。送信する各種情報とともに、端末装置３の端末ＩＤを送信する。
共有録画データリスト取得部３６は、録画サーバ１０から送信された共有録画データリストを取得する機能を有する。
【００３７】
番組表情報取得部３４は、録画サーバ１０から送信された番組表情報を取得する機能を有する。番組表情報は、録画指示受付画面を生成するためのソース情報として用いられる。
録画データ取得部３８は、録画サーバ１０から送信された録画データを取得する機能を有する。録画データの取得方式は、ダウンロード方式又はストリーミング方式のいずれを用いてもよい。取得された録画データは、録画データ記憶部３９に記憶される。
【００３８】
録画データ記憶部３９は、録画データ取得部３８により取得された録画データを記憶する記憶領域である。
再生部４０は、録画データ記憶部３９に記憶された録画データを読み出して再生する機能を有する。
映像音声出力部４１は再生部４０で再生された映像及び音声、ＧＵＩ部３７で生成されたＧＵＩ画面を出力する機能を有する。
＜２  データ＞
次に各種データについて説明する。
【００３９】
＜２．１  チャンネル表＞
図３は、各地域毎に設定されているテレビのチャンネル番号とチャンネルＩＤとの対応関係を表すチャンネル表の具体的な一例を示す図である。
チャンネル表は、各端末装置のメモリに記憶されており、ＧＵＩ部３７において番組表情報とともに、録画指示受付画面を生成するためのソース情報として用いられる。
【００４０】
＜２．２  番組表情報＞
図４は、番組表情報の具体的な一例を示す図である。
番組表情報４０１は、チャンネルＩＤ、テレビ局名、放送日付、番組ＩＤ、番組開始時、番組終了時、ジャンルＩＤ、番組名等の項目情報から成り、録画サーバ１０においては、各端末装置から送信された録画指示情報及び番組要求情報に含まれる番組ＩＤから、当該番組ＩＤが示す番組の番組名、放送開始日時、放送終了日時等を参照するのに用いられ、各端末装置においては、録画指示受付画面を生成するためのソース情報として用いられる。
【００４１】
＜２．３  グループ登録情報＞
図６は、端末装置３から録画サーバ１０へ送信されるグループ登録情報のデータ構造を示す図である。
グループ登録情報６０１には、宛先アドレス、送信元アドレス、端末ＩＤ、グループＩＤ、グループ名等の情報が含まれている。
【００４２】
＜２．４  グループリスト＞
図７は、ＩＤ管理部１３において管理されている各端末ＩＤの対応関係を表したグループリストの具体的な一例を示す図である。
同図のグループリスト７０１には、３つのグループが示されている。そのうちの１つは、グループＩＤが「００１２ａ８」、グループ名が「○○家」のグループであり、「○○家」グループに属する端末ＩＤは、「２３４３２」、「０２３１４」、「３９３８２」、「２９１１５」の４つとなっている。
【００４３】
同図では端末装置を示す情報として端末ＩＤを用いているが、端末ＩＤのみに限られず、例えば、端末装置を操作するユーザのユーザＩＤやユーザ名、ニックネーム等を用いてもよい。
＜２．５  録画指示情報＞
図９は、端末装置３から録画サーバ１０へ送信される録画指示情報のデータ構造を示す図である。
【００４４】
録画指示情報９０１には、宛先アドレス、送信元アドレス、端末ＩＤ、番組ＩＤ、付加情報等が含まれている。
＜２．６  録画データリスト＞
図１０は、録画データ管理部１５において管理されている録画データ及び端末ＩＤとの対応関係を表した録画データリストの具体的な一例を示す図である。
【００４５】
同図の録画データリスト１００１は、録画指示情報を受け付けた日時を表す受付日時、録画指示情報が示す番組の番組ＩＤ、録画指示情報を送信した端末装置の端末ＩＤを示す録画指示端末ＩＤ、該当の番組の録画が終われば、フラグが付加されて録画済みであることを示す録画済チェック欄等の項目を有する。
＜２．７  共有録画データリスト＞
図１１は、共有録画データ管理部２１においてグループ毎に生成される共有録画データリストの具体的な一例を示す図である。
【００４６】
共有録画データリスト１１０１は、「○○家」グループについての共有録画データリストである。「○○家」グループに属する各端末ＩＤと対応付けられた録画済番組の番組ＩＤが記載されている。
＜３  動作＞
ネットワーク録画システム１の動作について説明する。
【００４７】
＜３．１  グループ登録受付処理＞
まず、端末装置４におけるグループ登録受付処理について説明する。
図１３は、端末装置４におけるグループ登録受付処理の動作を説明するためのフローチャート図である。
端末装置４は、ユーザからグループ登録を行う指示を受けて、グループ登録受付画面を外部モニタに表示する（ステップＳ１）。
【００４８】
表示されたグループ登録受付画面にユーザからグループ情報の入力を受け付けて、送信ボタンが押下されると（ステップＳ２：ＹＥＳ）、グループ登録部３２はグループ登録情報を生成し、通信部３３はこれを録画サーバ１０へ送信する（ステップＳ３）。
ここで図５を用いて、端末装置４における具体的なグループ登録受付処理について説明する。
【００４９】
図５は、端末装置が外部モニタ等に出力した、ユーザからグループ参加の登録を受け付けるためのグループ登録受付画面の一例を示す図である。
グループ登録受付画面５０１は、ＧＵＩ部３７で生成され、映像音声出力部４１を通じて外部モニタに表示される。
グループ登録受付画面５０１には、グループＩＤ入力フィールド５１１、グループ名入力フィールド５１２、送信ボタン５１３、ＣＡＮＣＥＬボタン５１４、ポインタ５１５等が含まれる。
【００５０】
ユーザは、リモコン等のポインティングデバイスを用いて、ポインタ５１５を移動させ、グループＩＤ入力フィールド５１１、グループ名入力フィールド５１２、送信ボタン５１３、ＣＡＮＣＥＬボタン５１４等を指定し、文字入力やボタン押下を行う。
グループＩＤとグループ名はいずれか一方だけの入力であってもよいし、どちらの入力も必要であるとしてもよい。グループ情報は、録画サーバ１０に問い合わせて、送ってもらってもよいし、先にグループに所属しているユーザから直接教えてもらってもよい。
【００５１】
グループＩＤ入力フィールド５１１にグループＩＤを入力、又はグループ名入力フィールド５１２にグループ名を入力した後、送信ボタン５１３が押下されると、グループ登録部３２においてグループ登録情報が生成され、通信部３３により端末ＩＤとともに当該グループ登録情報は録画サーバ１０へ送信される。
一方、ＣＡＮＣＥＬボタン５１４が押下されると、グループＩＤ入力フィールド５１１又はグループ名入力フィールド５１２に入力された情報はクリアとなる。
【００５２】
＜３．２  グループ登録処理＞
次に、録画サーバ１０におけるグループ登録処理について説明する。
図１４は、録画サーバ１０におけるグループ登録処理の動作を説明するためのフローチャート図である。
録画サーバ１０は、いずれかの端末装置からグループ登録情報を受信すると（ステップＳ４：ＹＥＳ）、ＩＤ管理部１３において、グループ登録情報に含まれるグループ情報と端末ＩＤとを対応付けて管理する。すなわち、グループを更新する（ステップＳ５）。
【００５３】
＜３．３  録画指示受付処理＞
次に、端末装置４における録画指示受付処理について説明する。
図１５は、端末装置４における録画指示受付処理の動作を説明するためのフローチャート図である。
端末装置４は、ユーザから録画指示を受けて、録画指示受付画面を外部モニタに表示する（ステップＳ１１）。
【００５４】
表示された録画指示受付画面よりユーザから録画指示を受け付けると（ステップＳ１２：ＹＥＳ）、指示情報生成部３５は録画指示情報を生成し、通信部３３はこれを録画サーバ１０へ送信する（ステップＳ１３）。
ここで図８を用いて、端末装置４における具体的な録画指示受付処理について説明する。
【００５５】
図８は、端末装置が外部モニタ等に出力した、ユーザから録画指示を受け付けるための録画指示受付画面の一例を示す図である。
録画指示受付画面８０１は、ＧＵＩ部３７で生成され、映像音声出力部４１を通じて外部モニタに表示される。
録画指示受付画面８０１には、番組表情報及びチャンネル表に基いて生成された、大阪地区６チャンネルＸＹＺテレビの１７時から１９時迄の番組表８１１が表示されており、番組内容欄８１２部分をポインタで選択すると、録画指示ウィンドウ８１３が現れる。
【００５６】
録画指示ウィンドウ８１３には、「録画する」と表示された録画指示ボタン、画質選択ボタン、付加データ有無ボタンの３つＧＵＩボタンがある。ユーザは、画質選択ボタンを押下すると表示される複数の画質情報欄の中から１つを選択することにより、録画する番組データの録画画質を指定することができる。
また、付加データ有無ボタンを押下すると表示される「無」「有」のいずれかを選択することにより、録画する番組データに付加データを加えるかどうかを選択することができる。
【００５７】
ユーザは録画指示ボタンを押下することにより、端末装置３に対して番組の録画指示を入力することができる。
＜３．４  共有録画データリスト送出処理＞
続いて、録画サーバ１０における共有録画データリスト送出処理について説明する。
図１６が、録画サーバ１０における共有録画データ送出処理の動作を説明するためのフローチャート図である。
【００５８】
録画サーバ１０は、いずれかの端末装置から録画指示情報を受信すると（ステップＳ１４：ＹＥＳ）、録画データ管理部１５が管理している録画データリストに録画指示情報に含まれる番組ＩＤ及び端末ＩＤを記録し、番組ＩＤを録画処理部１６に通知する（ステップＳ１５）。
録画処理部１６は、該当の番組ＩＤが含まれる番組データを取得すると、すなわち番組の放送開始時刻になると（ステップＳ１６：ＹＥＳ）、これを録画データ記憶部１９に記録する（ステップＳ１７）。番組の録画処理が終了すると、録画データリストの該当番組の録画済項目にフラグを立てる（ステップＳ１８）。
【００５９】
共有録画データ管理部２１は、録画済項目にフラグが立った録画データと対応付けられている端末ＩＤが属するグループの共有録画データリストの更新を行い（ステップＳ１９）、送出部２０は、更新された共有録画データリストを該当グループに属する各端末装置へ送出する（ステップＳ２０）。
その後ステップＳ１４に戻る。
【００６０】
＜３．５  番組要求受付処理＞
次に、端末装置４における番組要求受付処理について説明する。
図１７は、端末装置４における番組要求受付処理の動作を説明するためのフローチャート図である。
まず、端末装置４は、録画サーバ１０から共有録画データリストを受信する（ステップＳ２１）。続いて、ユーザから番組要求を行う指示を受けて、受信した共有録画データリストに基づく番組要求受付画面を外部モニタに表示する（ステップＳ２２）。
【００６１】
表示された番組要求受付画面よりユーザから番組要求を受け付けると（ステップＳ２３：ＹＥＳ）、指示情報生成部３５は番組要求情報を生成し、通信部３３はこれを録画サーバ１０へ送信する（ステップＳ２４）。
ここで図１２を用いて、端末装置４における具体的な番組要求受付処理について説明する。
【００６２】
図１２は、録画サーバ１０から「○○家」グループに属する各端末ＩＤにのみ配信された共有録画データリストに基いて、当該各端末装置が外部モニタ等に出力した、ユーザから番組の要求指示を受け付けるための番組要求受付画面の一例を示す図である。
番組要求受付画面１２０１には、共有録画データリスト１２１１、ポインタ１２１２、送信ボタン１２１３、ＣＡＮＣＥＬボタン１２１４等が含まれる。
【００６３】
ユーザは、リモコン等のポインティングデバイスを用いて、ポインタ１２１２を移動させ、共有録画データリスト１２１１に記載されている取得番組チェック欄の所で、チェックを入れる指示を行うことで、取得したい番組を指定することができる。
ユーザは取得番組チェック欄にチェックを入れた後、送信ボタン１２１３を押下することで、指示情報生成部３５において番組要求情報が生成され、通信部３３により端末ＩＤとともに当該番組要求情報は録画サーバ１０へ送信される。
【００６４】
一方、ＣＡＮＣＥＬボタン１２１４が押下されると、取得番組チェック欄のチェック印は全てクリアとなる。
＜３．６  共有録画データ送出処理＞
続いて、録画サーバ１０における共有録画データ送出処理について説明する。
図１８が、録画サーバ１０における共有録画データ送出処理の動作を説明するためのフローチャート図である。
【００６５】
録画サーバ１０は、いずれかの端末装置から番組要求情報を受信すると（ステップＳ２５：ＹＥＳ）、当該番組要求情報に含まれる端末ＩＤが属するグループの共有録画データリストを参照し、そのリストの中に番組要求対象の録画データの番組ＩＤがあれば、送出可とし（ステップＳ２６：ＹＥＳ）、該当の録画データを録画データ記憶部１９から取り出して、当該番組要求情報を送信した端末装置へ送出する（ステップＳ２７）。その後、ステップＳ２５に戻る。
【００６６】
一方、前記番組要求情報に含まれる端末ＩＤが属するグループの共有録画データリストの中に番組要求対象の録画データの番組ＩＤがなければ（ステップＳ２６：ＮＯ）、当該番組要求情報を送信した端末装置にエラーメッセージを送出する（ステップＳ２８）。その後、ステップＳ２５に戻る。
＜４  変形例＞
本発明に係るネットワーク録画システムは、ユーザが録画指示を行う際に、その録画指示を行ったことをグループ内の他のユーザに通知する、録画指示通知の設定ができるものであってもよい。
【００６７】
図１９は、端末装置が外部モニタ等に出力した、ユーザから録画指示を受け付けるための録画指示受付画面の一例を示す図である。
録画指示受付画面１９０１は、ＧＵＩ部３７で生成され、映像音声出力部４１を通じて外部モニタに表示される。
録画指示受付画面１９０１には、番組表情報及びチャンネル表に基いて生成された、大阪地区６チャンネルＸＹＺテレビの１７時から１９時迄の番組表８１１が表示されており、番組内容欄１９１２部分をポインタで選択すると、録画指示ウィンドウ１９１３が現れる。
【００６８】
録画指示ウィンドウ１９１３には、「録画する」と表示された録画指示ボタンの他、通知先選択ボタンがある。ユーザは、今らから録画指示しようとしている番組を、自己が属するグループ内の他のユーザに通知したい場合、通知相手先を選択することで、録画指示通知の設定を行うことができる。
例えば、同図に示す「○○家」グループと「××高２年３組」グループに属するユーザ「BOBBY」が、録画指示受付画面１９０１においてＡＬＬ通知を選択すれば、ユーザ「BOBBY」が属する２つのグループ内の他ユーザに、ユーザ「BOBBY」が番組を録画指示した旨の通知情報が送られる設定がなされる
また、録画通知先選択ウィンドウ１９１４から、グループ内の個別の相手を選択することで、選択されたユーザのみに番組を録画指示した情報を通知することもできる。
【００６９】
例えば、同図に示す「「JOHN」通知」を選択すると、「○○家」グループに属するユーザ「JOHN」のみに、ユーザ「BOBBY」が番組を録画指示した旨の通知情報が送られる設定がなされる。
図２０は、「○○家」グループ内のユーザ「BOBBY」が番組の録画指示とともに、当該録画指示の通知設定を行った場合に、同じグループ内の他の端末装置に通知される、録画指示通知情報の具体例を示す図である。
【００７０】
端末装置において同図に示す録画指示通知情報を視認した他のユーザは、番組「１７時のニュース」が共有されることを知ることができ、当該番組を自己の端末装置に取り込んで視聴することができる。
＜５  補足＞
なお、本発明は上述の実施形態に限定されないのはもちろんである。以下のような場合も本発明に含まれる。
（１）上述の録画サーバ１０は、複数の機器から構成されていてもよい。例えば、複数の録画装置とこれらの録画装置を管理する録画管理装置とから構成されていてもよい。また、各端末装置に録画機能が備わっていて、他の端末装置に録画を依頼したり、反対に録画依頼を受けて録画を行ったりする機能を有していてもよく、録画管理装置がこれらの端末装置を管理して、録画データの共有を実現していてもよい。
（２）上述の録画サーバ１０は、同じグループに属する各端末装置の端末ＩＤをお互い対応付けて管理していたが、ユーザＩＤや、ユーザ名、ユーザのニックネーム等を用いて対応付けて管理していてもよい。この場合、端末装置はユーザＩＤ、ユーザ名、ユーザのニックネーム等の入力によりユーザを認証してから、番組録画代行サービスの利用を可能とするようにしている。
（３）上述の録画サーバ１０は、録画データの蓄積によって録画データ記憶部１９が容量一杯になると、新たな録画データを記憶するために、空き容量を確保する必要がある。
【００７１】
空き容量を確保するために、一般的に、（ｉ）古い録画データから順番に削除する、（ii）録画指示したユーザが録画データの取得要求を行った際に自動的に録画サーバから削除する、（iii）ユーザの指示に基づいて録画データを録画サーバから削除する、等の措置をとることが考えられる。
【００７２】
しかしこれでは、グループの共有に係る録画データのうち、グループに属するユーザの何人かが未取得である録画データについても削除されてしまう可能性があり、録画データを共有するメリットが半減する。
そこで、本発明に係る録画サーバ１０は、グループの共有に係る録画データを、当該グループに属する全てのユーザがその録画データを取得しない限り、当該録画データの削除を行わないように制御していてもよい。言い換えれば、同じグループに属する全てのユーザが、その共有に係る録画データを取得すれば、当該録画データは削除対象となる。
【００７３】
そのため、録画サーバ１０は、共有録画データリストに示される各録画データの取得状況を把握する必要がある。
図２１は、グループ内で共有されている録画データの取得状況を把握するために用いられる共有録画データ取得状況表の具体的な一例を示す図である。
共有録画データ取得状況表は、共有録画データ管理部２１が管理しており、ユーザが録画データを取得すると、取得済みであることを示すフラグ（○印）を同表に付加する。
【００７４】
例えば、同図において、録画データ「明日は日曜日」（番組ＩＤ：２１９４）は、グループ「○○家」の全ユーザが取得済みであることを示している。よって、録画データ「明日は日曜日」は、削除可能な録画データとして共有録画データ管理部２１に管理され、録画データ記憶部１９の容量が一杯になったとき、或いはユーザから当該録画データの削除指示があれば、共有録画データ管理部２１によって削除される。
【００７５】
また、同図において、録画データ「17時のニュース」（番組ＩＤ：４８１４）は、グループ「○○家」に属するユーザ「ＣＡＴＨＹ」（端末ＩＤ：３９３８２）とユーザ「ＪＯＨＮ」（端末ＩＤ：２９１１５）が未取得であるため、削除不可の録画データとして共有録画データ管理部２１に管理され、録画データ記憶部１９の容量が一杯になったとしても、或いは録画データ「17時のニュース」の削除指示をグループ「○○家」に属するいずれかのユーザが行ったとしても、当該録画データは共有録画データ管理部２１によって削除されることはない。なお、録画サーバ１０は、削除不可の録画データに対する削除指示を端末装置から受け付けた場合に、その端末装置に対して、削除指示された録画データが、グループ内の全ユーザが取得していないため削除不可になっている旨を通知するようにしてもよい。
【００７６】
更に、グループ内の全ユーザが取得済みとなった録画データがあれば、録画サーバ１０は、当該録画データの削除を促す情報をグループ内の各ユーザの端末装置に送るようにしてもよい。
図２２は、録画データ「明日は日曜日」をグループ内の全ユーザが取得した際に録画サーバ１０からグループ内の各ユーザの端末装置に通知した、録画データの削除を促す情報の具体的な一例を示す図である。
【００７７】
端末装置が出力した同図に示すＧＵＩ画面２２００には、録画データ「明日は日曜日」が、グループ「○○家」内の全ユーザに取得された旨が示されており、ユーザが削除ボタン２２０１をポインタ２２０２で指し示してクリックすることで、端末装置において録画データ削除指示情報が生成され、録画サーバ１０に送信される。
録画データ削除指示情報を受信した録画サーバ１０は、指示された録画データの削除を行う。
【００７８】
また、グループ内の全ユーザが取得済みとなった録画データがあれば、録画サーバ１０は、自動的に当該録画データを削除し、削除した旨を当グループ内の各ユーザの端末装置に送るようにしてもよい。
図２３は、グループ内の全ユーザが録画データ「明日は日曜日」を取得した際に当該録画データを自動削除した旨を録画サーバ１０からグループ内の各ユーザの端末装置に通知した情報の具体的な一例を示す図である。
【００７９】
端末装置が出力した同図に示すＧＵＩ画面２３００には、録画データ「明日は日曜日」が、グループ「○○家」内の全ユーザに取得されたため、録画サーバ１０から削除した旨が示されている。
（４）本発明は、実施形態で説明したネットワーク録画システム１においてなされる各種処理の手順（図１３〜図１８に示した手順等）を含む方法であるとしてもよいし、ネットワーク録画システム１においてなされる各種処理を各端末装置及び録画サーバに実行させるためのプログラムであるとしてもよい。このプログラムは、記録媒体に記録し又は各種通信路等を介して、流通させ頒布することができる。このような記録媒体には、ＩＣカード、光ディスク、フレキシブルディスク、メモリ等がある。
【００８０】
流通、頒布されたプログラムは、記憶手段を備える機器等にインストールされることにより利用に供され、その機器等はそのプログラムの実行により実施形態で示した録画サーバ及び端末装置として機能する。
（５）上述の実施形態において、ＩＤ管理部１３、録画データ管理部１５及び共有録画データ管理部２０は、集積回路で構成されていると説明したが、これらは、個別に１チップ化されていてもよい。また、これらの機能部だけでなく、図１に示すグループ登録情報取得部１２、録画指示情報取得部１４及び番組要求情報取得部２２を、ＩＤ管理部１３、録画データ管理部１５及び共有録画データ管理部２０と共に１チップ化した集積回路を用いてもよい。
【００８１】
なお、集積回路は、素子の集積度によってＩＣ、ＬＳＩと呼称されることもある。
また、集積回路デバイスとして、専用回路、汎用プロセッサを用いてもよいし、アーキテクチャの変更が可能なＦＰＧＡ（Ｆｉｅｌｄ  Ｐｒｏｇｒａｍｍａｂｌｅ  Ｇａｔｅ  Ａｒｒａｙ）、リコンフィギュラブル・プロセッサ（Ｒｅｃｏｎｆｉｇｕｒｅａｂｌｅ  Ｐｒｏｃｅｓｓｏｒ）を用いてもよく、更には、技術進歩によって半導体集積回路に置き換わる別のものが考案されれば、当然そのものを用いてもよい。例えば、バイオ技術を利用した集積回路が考えられる。
【産業上の利用可能性】
【００８２】
本発明は、番組録画代行サービスに用いられるネットワーク録画システムとして有用である。
【図面の簡単な説明】
【００８３】
【図１】本発明に係るネットワーク録画システムの構成を示す図である。
【図２】本発明に係るネットワーク録画システムの構成を示す図である。
【図３】チャンネル表の一例を示す図である。
【図４】番組表情報の一例を示す図である。
【図５】グループ登録受付画面の一例を示す図である。
【図６】端末装置から録画サーバへ送信されるグループ登録情報のデータ構造を示す図である。
【図７】録画サーバにおいて管理されているグループリストの一例である。
【図８】録画指示受付画面の一例を示す図である。
【図９】端末装置から録画サーバへ送信される録画指示情報のデータ構造を示す図である。
【図１０】録画サーバにおいて管理されている録画データリストの一例である。
【図１１】録画サーバにおいて管理されている共有録画データリストの一例である。
【図１２】録画データ取得画面の一例を示す図である。
【図１３】グループ登録受付処理の動作を説明するためのフローチャート図である。
【図１４】グループ登録処理の動作を説明するためのフローチャート図である。
【図１５】録画指示受付処理の動作を説明するためのフローチャート図である。
【図１６】共有録画データリスト送出処理の動作を説明するためのフローチャート図である。
【図１７】番組要求受付処理の動作を説明するためのフローチャート図である。
【図１８】録画データ送出処理の動作を説明するためのフローチャート図である。
【図１９】録画指示受付画面の一例を示す図である。
【図２０】録画指示通知画面の一例を示す図である。
【図２１】共有録画データ取得状況表の一例を示す図である。
【図２２】録画データの削除をユーザに促す情報の一例を示す図である。
【図２３】録画データの自動削除をユーザに通知する情報の一例を示す図である。
【図１】
2007527140.tif 000003
【図２】
2007527140.tif 000004
【図３】
2007527140.tif 000005
【図４】
2007527140.tif 000006
【図５】
2007527140.tif 000007
【図６】
2007527140.tif 000008
【図７】
2007527140.tif 000009
【図８】
2007527140.tif 000010
【図９】
2007527140.tif 000011
【図１０】
2007527140.tif 000012
【図１１】
2007527140.tif 000013
【図１２】
2007527140.tif 000014
【図１３】
2007527140.tif 000015
【図１４】
2007527140.tif 000016
【図１５】
2007527140.tif 000017
【図１６】
2007527140.tif 000018
【図１７】
2007527140.tif 000019
【図１８】
2007527140.tif 000020
【図１９】
2007527140.tif 000021
【図２０】
2007527140.tif 000022
【図２１】
2007527140.tif 000023
【図２２】
2007527140.tif 000024
【図２３】
2007527140.tif 000025
【国際調査報告】
2007527140.tif 000026
2007527140.tif 000027